(57)【要約】【課題】地震等による既設家屋の基礎の沈下を有効に防止出来ると共に、屋内で簡単に施工を行うことが出来て、施工コストを安く出来る既設家屋の基礎補強工法を提供する。【解決手段】既設家屋内において、布基礎又はべた基礎からなる基礎１の所要部を上下に貫通するように又はその基礎１に隣接するように杭５を杭打機７で地盤中に所定深さまで打ち込んだ後、この杭５を基礎１と一体的に結合させる。【選択図】図１
2006028877.tif 000002
【特許請求の範囲】
【請求項１】
既設家屋内において、布基礎又はべた基礎からなる基礎の所要部を上下に貫通するように又はその基礎に隣接するように杭を杭打機で地盤中に所定深さまで打ち込んだ後、この杭を基礎と一体的に結合させるようにした既設家屋の基礎補強工法。
【請求項２】
基礎の所要部に杭の径より十分径大の杭貫通用開口部を設け、この開口部より杭を地盤中に打ち込んだ後、モルタル等の固化材を杭貫通用開口部に流し込むことによって、杭を基礎と一体的に結合させるようにした請求項１に記載の基礎補強工法。
【請求項３】
垂壁部と水平脚部とからなる断面逆Ｔ字状布基礎の水平脚部には垂壁部の両側対称位置に杭貫通用開口部を設け、この開口部より杭を地盤中に打ち込んだ後、この開口部にモルタル等の固化材を流し込み、水平板と垂直板とからなるＬ形プレートの水平板を、杭貫通用開口部の上端部を覆うように布基礎の水平脚部上に配置すると共に、垂直板を垂壁部の側面に当接し、垂壁部の両側面に当接される垂直板どうしを、垂壁部を貫通するボルト・ナットによって連結するようにした請求項１に記載の基礎補強工法。
【請求項４】
杭貫通孔は上端側の径が下端側より小さい円錐台形状を成している請求項２又は３に記載の基礎補強工法。
【請求項５】
垂壁部と水平脚部とからなる断面逆Ｔ字状布基礎の水平脚部には垂壁部の両側対称位置で水平脚部の両側端部に隣接するように杭を打ち込んだ後、両杭の上端部近辺の地盤を掘削して布基礎の下側に布基礎を受ける２本の横材を挿入して、前記両側の杭を両横材で挟み付けた状態とし、上記掘削した地盤の凹所にモルタル等の固化材を流し込んで、布基礎と杭と横材とを一体的に結合するようにした請求項１に記載の基礎補強工法。
【請求項６】
垂壁部と水平脚部とからなる断面逆Ｔ字状布基礎の水平脚部には垂壁部の両側対称位置に杭貫通用開口部を設け、この開口部より杭を地盤中に打ち込んだ後、杭貫通用開口部にモルタル等の固化材を流し込み、垂壁部の両側面に補強枠を当接させて、垂壁部を貫通するボルト・ナットで両補強枠を連結すると共に、補強枠には杭貫通用開口部の上端部を覆って杭の上端を受ける杭受板を取り付けるようにした請求項１に記載の基礎補強工法。
【請求項７】
既設家屋内において、束基礎からなる基礎の周辺に複数本の杭を杭打機で地盤中に夫々所定深さまで打ち込んだ後、基礎の周辺の地盤を掘削して、基礎及びこの基礎の周辺に突出する杭の上端部を取り囲むような凹所を形成し、この凹所内において複数本の鉄筋を杭の上端部間に架け渡した後、凹所内にモルタル等の固化材を流し込んで、基礎と杭と鉄筋とを一体的に結合するようにした既設家屋の基礎補強工法。
【請求項８】
既設家屋内において、束を支持している旧い束基礎の周辺地盤を掘削して、この旧束基礎を取り囲むような凹所を形成し、この旧束基礎に支持されている束を所要高さジャッキアップして旧束基礎を凹所から撤去し、この凹所内より複数本の杭を杭打機で地盤中に夫々所定深さまで打ち込んだ後、この凹所内にコンクリートを流し込んで新しい束基礎を形成すると共に、この新束基礎と杭とを一体的に結合させるようにした既設家屋の基礎補強工法。
【請求項９】
各杭は、ジョイントを介して順次継ぎ足し連結される複数の杭部材からなるもので、各杭部材は上下両端部の夫々外周面に雄ねじ部を形成した鋼管又は鉄筋からなり、ジョイントは、上半分に上段側杭部材の下端雄ねじ部が螺合し且つ下半部に下段側杭部材の上端雄ねじ部が螺合するように内周面に雌ねじを形成した筒状本体からなる請求項１〜８の何れかに記載の既設家屋の基礎補強工法。
【請求項１０】
ジョイントの筒状本体には外周面中央に支持力増大用フランジが突設されてなる請求項９に記載の既設家屋の基礎補強工法。
【請求項１１】
各杭の最下段の杭部材にはその下端部に、先端部の尖ったビットが取り付けてある請求項９又は１０に記載の既設家屋の基礎補強工法。
【請求項１２】
３つ以上の杭部材からなる杭では、各ジョイントの筒状本体に突設された支持力拡大用フランジは、上段側のジョイントになるほどフランジの突出高さが高くなっている請求項１０又は１１の何れかに記載の既設家屋の基礎補強工法。
【請求項１３】
各杭は全長に亘ってねじ状となったねじ鉄筋又は異形鉄筋からなる請求項１〜８の何れかに記載の既設家屋の基礎補強工法。
【発明の詳細な説明】
【技術分野】
【０００１】
本発明は、地震等によって既設家屋の基礎が沈下するのを防止するためにその基礎を補強し、また特に地震等によって既設家屋の基礎が不等沈下した場合に基礎を補修するにあたってその基礎を補強する基礎補強工法に関するものである。なお、この不等沈下とは、既設家屋の基礎面下の地盤沈下量が、場所によって差があるような沈下を言う。
【背景技術】
【０００２】
従来、地震等により既設家屋の基礎が不等沈下して柱が傾いたり、土台の一部が下がったりした場合には、基礎が安定状態になった後、その基礎はそのままにしておいて、基礎の上に載っている土台を所定高さまでジャッキアップし、レベル調整した上で、土台と基礎との間にスペーサーを介挿するなどして土台を水平に固定し、柱を鉛直に立て直すなどの補修を行っていた。
【発明の開示】
【発明が解決しようとする課題】
【０００３】
上記のように、従来は基礎そのものを補強するのではなく、この基礎の上に載っている土台をジャッキアップして、レベル調整するだけであるから、基礎がいつまた沈下するやもしれず、居住者にとっては非常に不安であった。
【０００４】
本発明は、上記の課題に鑑み、地震等による既設家屋の基礎の沈下を有効に防止出来ると共に、既設家屋内において簡単容易に施工を行うことが出来て、施工コストを安く出来る既設家屋の基礎補強工法を提供することを目的とする。
【課題を解決するための手段】
【０００５】
上記課題を解決するための手段を、後述する実施形態の参照符号を付して説明すると、  請求項１に係る発明の既設家屋の基礎補強工法は、既設家屋内において、布基礎又はべた基礎からなる基礎１の所要部を上下に貫通するように又はその基礎１に隣接するように杭５を杭打機７で地盤中に所定深さまで打ち込んだ後、この杭５を基礎１と一体的に結合させるようにしたことを特徴とする。
【０００６】
請求項２は、請求項１に記載の基礎補強工法において、基礎１の所要部に杭５の径より十分径大の杭貫通用開口部４を設け、この開口部４より杭５を地盤中に打ち込んだ後、モルタル等の固化材Ｋを杭貫通用開口部４に流し込むことによって、杭５を基礎１と一体的に結合させるようにしたことを特徴とする。
【０００７】
請求項３は、請求項１に記載の基礎補強工法において、垂壁部１ａと水平脚部１ｂとからなる断面逆Ｔ字状布基礎１の水平脚部１ｂには垂壁部１ａの両側対称位置に杭貫通用開口部４を設け、この開口部４より杭５を地盤中に打ち込んだ後、この開口部４にモルタル等の固化材Ｋを流し込み、水平板９ａと垂直板９ｂとからなるＬ形プレート９の水平板９ａを、杭貫通用開口部４の上端部を覆うように布基礎１の水平脚部１ｂ上に配置すると共に、垂直板９ｂを垂壁部１ａの側面に当接し、垂壁部１ａの両側面に当接される垂直板９ｂ，９ｂどうしを、垂壁部１ａを貫通するボルト・ナット１０によって連結するようにしたことを特徴とする。
【０００８】
請求項４は、請求項２又は３に記載の基礎補強工法において、杭貫通用開口部４は上端側の径が下端側より小さい円錐台形状を成していることを特徴とする。
【０００９】
請求項５は、請求項１に記載の基礎補強工法において、垂壁部１ａと水平脚部１ｂとからなる断面逆Ｔ字状布基礎１の水平脚部１ｂには垂壁部１ａの両側対称位置で水平脚部１ｂの両側端部に隣接するように杭５を打ち込んだ後、両杭５，５の上端部近辺の地盤を掘削して布基礎１の下側に布基礎１を受ける２本の横材２０を挿入して、前記両側の杭５，５を両横材２０，２０で挟み付けた状態とし、上記掘削した地盤の凹所１２にモルタル等の固化材Ｋを流し込んで、布基礎１と杭５と横材２０とを一体的に結合するようにしたことを特徴とする。
【００１０】
請求項６は、請求項１に記載の基礎補強工法において、垂壁部１ａと水平脚部１ｂとからなる断面逆Ｔ字状布基礎１の水平脚部１ｂには垂壁部１ａの両側対称位置に杭貫通用開口部４を設け、この開口部４より杭５を地盤中に打ち込んだ後、杭貫通用開口部４にモルタル等の固化材Ｋを流し込み、垂壁部１ａの両側面に補強枠１６，１６を当接させて、垂壁部１ａを貫通するボルト・ナット１０で両補強枠１６，１６を連結すると共に、補強枠１６には杭貫通用開口部４の上端部を覆って杭５の上端を受ける杭受板１７を取り付けるようにしたことを特徴とする。
【００１１】
請求項７に係る発明の既設家屋の基礎補強工法は、既設家屋内において、束基礎からなる基礎１１の周辺に複数本の杭５を杭打機で地盤中に夫々所定深さまで打ち込んだ後、基礎１１の周辺の地盤を掘削して、基礎１１及びこの基礎１１の周辺に突出する杭５の上端部を取り囲むような凹所１４を形成し、この凹所１４内において複数本の鉄筋１５を杭５の上端部間に架け渡した後、凹所１４内にモルタル等の固化材Ｋを流し込んで、基礎１１と杭５と鉄筋１５とを一体的に結合するようにしたことを特徴とする。
【００１２】
請求項８に係る発明の既設家屋の基礎補強工法は、既設家屋内において、束２３を支持している旧い束基礎１１の周辺地盤を掘削して、この旧束基礎１１を取り囲むような凹所３０を形成し、この旧束基礎１１に支持されている束２３を所要高さジャッキアップして旧束基礎１１を凹所３０から撤去し、この凹所３０内より複数本の杭５を杭打機で地盤中に夫々所定深さまで打ち込んだ後、この凹所３０内にコンクリートを流し込んで新しい束基礎１１Ｎを形成すると共に、この新束基礎１１Ｎと杭５とを一体的に結合させるようにしたことを特徴とする。
【００１３】
請求項９は、請求項１〜８の何れかに記載の既設家屋の基礎補強工法において、各杭５は、ジョイント２６を介して順次継ぎ足し連結される複数の杭部材５ａからなるもので、各杭部材５ａは上下両端部の夫々外周面に雄ねじ部ｎを形成した鋼管又は鉄筋からなり、ジョイント２６は、上半分に上段側杭部材５ａの下端雄ねじ部ｎが螺合し且つ下半部に下段側杭部材５ａの上端雄ねじ部ｎが螺合するように内周面に雌ねじｆを形成した筒状本体２７からなることを特徴とする。
【００１４】
請求項１０は、請求項９に記載の既設家屋の基礎補強工法において、ジョイント２６の筒状本体２７には外周面中央に支持力増大用フランジ２８が突設されてなることを特徴とする。
【００１５】
請求項１１は、請求項９又は１０に記載の既設家屋の基礎補強工法において、各杭５の最下段の杭部材５ａにはその下端部に、先端部の尖ったビット２９が取り付けてあることを特徴とする。
【００１６】
請求項１２は、請求項１０又は１１の何れかに記載の既設家屋の基礎補強工法において、３つ以上の杭部材５ａからなる杭５では、各ジョイント２６の筒状本体２７に突設された支持力拡大用フランジ２８は、上段側のジョイント２６になるほどフランジ２８の突出高さが高くなっていることを特徴とする。
【００１７】
請求項１３は、請求項１〜８の何れかに記載の既設家屋の基礎補強工法において、各杭５は全長に亘ってねじ状となったねじ鉄筋５Ｓ又は異形鉄筋５Ｄからなることを特徴とする。
【発明の効果】
【００１８】
上記解決手段による発明の効果を、後述する実施形態の参照符号を付して説明すると、請求項１に係る発明によれば、基礎１の所要部を上下に貫通するように又はその基礎１に隣接するように杭５を杭打機７で地盤中に所定深さまで打ち込んだ後、この杭５を基礎１と一体的に結合させるようにするから、基礎１は、これと一体的に結合された杭５により支持され、この杭５の支持力によって沈下が有効に防止される。そして、この工法によれば、既設屋内において簡単に施工出来、施工コストを安く出来る。
【００１９】
請求項２に記載のように、基礎１の所要部に杭貫通用開口部４を設け、この開口部４より杭５を地盤中に打ち込んだ後、モルタル等の固化材Ｋを杭貫通用開口部４及びその上部側周辺に流し込んで、杭５を基礎１と一体的に結合させる場合は、施工がより簡単容易となる。
【００２０】
請求項３に係る発明によれば、杭５の上端部を杭貫通用開口部４内に流し込んだ固化材Ｋによって布基礎１と一体的に結合すると共に、布基礎１に取り付けたＬ形プレート９の水平板９ａによって杭５の上端を支持するから、布基礎１の沈下をより有効に防止することができる。
【００２１】
請求項４に係る発明によれば、杭貫通用開口部４が円錐台形状であるから、布基礎１が沈下しようとすれば、円錐台形状開口部４の内周面の楔効果により、開口部４内の固化材Ｋが杭５の上端部を開口部４内にロックする状態となって、布基礎１の沈下を有効に防止することができる。
【００２２】
請求項５に係る発明によれば、杭５の上端部を布基礎１に強固に結合させることができる。
【００２３】
請求項６に係る発明によれば、杭５の上端部を布基礎１に強固に結合させることができると共に、布基礎１の垂壁部１ａにひび割れが発生した場合にそのひび割れ箇所２２を両側一対の補強枠１６，１６により補強して、垂壁部１ａの破壊を防止できる。
【００２４】
請求項７に係る発明によれば、基礎の周辺に複数本の杭５を杭打機７で地盤中に夫々所定深さまで打ち込んだ後、基礎の周辺の地盤を掘削して、基礎及びこの基礎の周辺に突出する杭５の上端部を取り囲むような凹所２４を形成し、この凹所２４内において複数本の鉄筋２５を杭５の上端部間に架け渡すように配置した後、凹所２４内にモルタル等の固化材Ｋを流し込んで、基礎と杭５の上端部と鉄筋２５とを一体的に結合するから、基礎は、杭５により支持され、この杭５の支持力によって沈下が防止される。またこの工法によれば、既設屋内で簡単に施工を行うことが出来、施工コストを安く出来る。
【００２５】
請求項８に係る発明によれば、束基礎１１が破損したような場合に新しい束基礎１１Ｎを簡単容易に設置できると共に、この新束基礎１１Ｎをこれと一体に結合した杭５によって支持させ、この杭５の支持力によって新束基礎１１Ｎの沈下を防止できる。
【００２６】
請求項９に係る発明によれば、ジョイント２６は、上半分に上段側杭部材５ａの下端雄ねじ部ｎが螺合し且つ下半部に下段側杭部材５ａの上端雄ねじ部ｎが螺合するように内周面に雌ねじｆを形成した筒状本体２７からなるため、杭部材５ａの継ぎ足し作業が簡単容易となる。
【００２７】
請求項１０に係る発明によれば、筒状本体１７の外周面中央に支持力増大用フランジ１８が突設されている場合は、各ジョイント１６のフランジ１８の下面側に上向きの大きな地盤反力を作用させることが出来るから、大きな支持力が得られることになる。
【００２８】
請求項１１に係る発明によれば、各杭５の最下段の杭部材５ａにはその下端部に先端部の尖ったビット１９が取り付けてあるから、打ち込み作業が容易となり、比較的硬い地盤でも容易に打ち込むことが出来る。
【００２９】
請求項１２に係る発明によれば、各ジョイント１６の支持力増大用フランジ１８が上段側のジョイント１６になるほどフランジ１８の突出高さが高くなっている杭５にあっては、杭５を全体的に見れば、杭５が地盤に対してテーパ杭による楔効果と同様な作用を発揮することになるから、一層大きな支持力が得られる。
【００３０】
請求項１３に係る発明によれば、杭５がねじ鉄筋５Ｎや異形鉄筋５Ｄからなる場合は、鋼管製や鉄筋製の杭５よりも地盤抵抗が大きいから、支持力を高めることができる。
【発明を実施するための最良の形態】
【００３１】
図１は本発明に係る基礎補強工法を既設家屋内にて実施している状態の斜視図である。この図において、１は垂壁部１ａと水平脚部１ｂとからなる横断面倒Ｔ字状のコンクリート製布基礎、２は木造家屋を支える土台で、布基礎１の垂壁部１ａ上にアンカーボルト（図示せず）で緊結固定され、垂壁部１ａ上に柱３が立てられる。なお、布基礎１の下側には栗石Ｇが配置されている。
【００３２】
この布基礎１を補強するのに好適な工法を図２〜図６により説明すると、図２の(a) は補強される前の布基礎１及びその上に固定された土台２を示す正面図で、布基礎１はその半分程度が土砂Ｍ中に埋まった状態にあり、(b) は(a) のイ−イ線断面図である。この布基礎１は、地震により、あるいは地盤が軟弱であることによって、所定レベルに対し幾分沈下しているものとする。
【００３３】
布基礎１を補強するにあたっては、先ず、土台２を布基礎１上に緊結固定しているアンカーボルトを抜き、図３の(a) に示すように布基礎１の垂壁部１ａに切欠開口部Ｏを形成し、ここに油圧ジャッキＪを設置して、この油圧ジャッキＪにより土台２を所定レベルまでジャッキアップし、水平レベルを調節した後、図３の(a) ，(b) に示すように、布基礎１の垂壁部１ａ上面と土台２の下面との間にスペーサーＳ等を介挿して、土台２を所定高さまでレベルアップした位置に固定する。
【００３４】
こうして土台２をレベルアップした後、布基礎１の補強作業を開始するが、この補強作業を行う前に、布基礎１を覆っている土砂Ｍを掘削して排土し、図３の(a) ，(b) に示すように、水平脚部１ｂが現れるようにする。しかして、布基礎１の水平脚部１ｂを貫通するように複数本の杭５を杭打機７によって夫々所定深さ（岩盤等の硬質支持層に達する深さ）まで打ち込む。布基礎１の水平脚部１ｂには図４の(a) ，(b) に示すように予め杭貫通箇所に例えばドリル８によって杭５の外径より十分径大の杭貫通用開口部４を形成し、この開口部４より杭５を地盤中に打ち込む。
【００３５】
杭打機７は、図１に示すように、ボデー７ａの両側に手動操作用ハンドル７ｂ，７ｂを備えた油圧ハンマータイプの周知の小型杭打機で、ボデー７ａに下端部に突出したヘッド７ｃを、地盤上に立設する杭５の上端部に嵌合させた状態で杭打ちを行うようになっている。この小型杭打機７は、重量が２０ｋｇ程度であるから、既設家屋内の狭い場所でも作業員一人で容易に杭打ち作業を行うことが出来る。
【００３６】
上記のように、布基礎１の水平脚部１ｂを貫通するように杭５を地盤中の硬質支持層に達し得る所定深さまで打ち込んだならば、モルタルやセメントミルク等の固化材Ｋを杭貫通用開口部４及びその上部側周辺に流し込むことによって、杭５を基礎１と一体的に結合させるようにする。この場合、図示は省略するが、布基礎１の水平脚部１ｂの両側端面に夫々型枠を設置しておいて、両型枠間にモルタル等の固化材Ｋを供給すれば、その固化材Ｋは杭５が貫通する杭貫通用開口部４の内部に充填されると共に、水平脚部１ｂの上側に所要厚さ充填され、しかして固化材Ｋが固化した後、型枠を撤去すれば、図６の(a) 及び(b) に示すような状態となり、杭５の上端部が固化材Ｋを介して布基礎１と一体的に結合され、布基礎１はこれと一体的に結合された杭５により支持され、この杭５の支持力によって沈下が有効に防止される。
【００３７】
図７〜図１１には布基礎１を補強するのに好適な種々の工法を示す。なお、これらの図には布基礎１に支持される土台やこの土台の上に立設される柱は図示を省略している。
【００３８】
図７に示す基礎補強工法は、逆Ｔ字状布基礎１の水平脚部１ｂには垂壁部１ａを中心とした両側対称位置に、杭５の外径よりも十分大きい孔径の杭貫通用開口部４を設け、この杭貫通用開口部４より杭５を地盤中に打ち込んだ後、この杭貫通用開口部４にモルタル等の固化材Ｋを流し込み、それから水平板９ａと垂直板９ｂとからなるＬ形プレート９の水平板９ａを、杭貫通用開口部４の上端部を覆うように布基礎１の水平脚部１ｂ上に配置すると共に、垂直板９ｂを垂壁部１ａの側面に当接し、しかして垂壁部１ａの両側面に当接される両側一対のＬ形プレート９の垂直板９ｂ，９ｂどうしを、垂壁部を貫通するボルト・ナット１０によって連結するようにしたものである。
【００３９】
この工法では、地盤中に打ち込んだ杭５の上端部が水平脚部１ｂの杭貫通用開口部４から上方へ突出していると、Ｌ形プレート９を取り付けることができないため、杭５の打ち込み後、杭貫通用開口部４からの上端突出部を切除する必要がある。また、Ｌ形プレート９は、水平板９ａと垂直板９ｂとのコーナー部に三角形の補強リブ９ｃが設けてある。
【００４０】
上記のような基礎補強工法によれば、杭５の上端部を杭貫通用開口部４内に流し込んだ固化材Ｋによって布基礎１と一体的に結合すると共に、布基礎１に取り付けたＬ形プレート９の水平板９ａによって杭５の上端を支持するから、布基礎１の沈下をより有効に防止できる。
【００４１】
図８に示す基礎補強工法は、図２〜図６によって説明した基礎補強工法と同様な工法であるが、杭貫通用開口部４が円錐台形状に形成されている点で相違する。即ち、図２〜図６の工法では、杭貫通用開口部４が円筒状であるが、図８の工法における杭貫通用開口部４は、上端側の径が下端側より小さい円錐台形状の開口部４Ｔからなるものである。
【００４２】
この基礎補強工法によれば、布基礎１の水平脚部１ｂに円錐台形状の杭貫通用開口部４を設け、この開口部４より杭５を地盤中に打ち込んだ後、この杭貫通用開口部４にモルタル等の固化材Ｋを流し込んで、杭５の上端部を杭貫通用開口部４内で固化材Ｋによって布基礎１と一体的に結合するが、杭貫通用開口部４が円錐台形状であるため、布基礎１が沈下しようとすれば、円錐台形状開口部４の内周面の楔効果により、開口部４内の固化材Ｋが杭５の上端部を開口部４内にロックする状態となって、布基礎１の沈下を有効に防止することができる。従って、この工法では、固化材Ｋを杭貫通用開口部４の内部に流し込むだけで、杭５の上端部を布基礎１に有効に結合できる。
【００４３】
図９に示す基礎補強工法は、杭貫通用開口部４が円錐台形状に形成されている点が異なるだけで、図７に示す布基礎１の工法と同様であり、従って詳しい説明は省略する。この基礎補強工法によれば、杭５の上端部を杭貫通用開口部４内に流し込んだ固化材Ｋによって布基礎１と結合すると共に、布基礎１に取り付けたＬ形プレート９の水平板９ａによって杭５の上端を支持し、その上に円錐台形状開口部４内周面の楔効果を発揮できるから、杭５の上端部を布基礎１により一層有効に結合さこせることができる。
【００４４】
図１０に示す基礎補強工法は、垂壁部１ａと水平脚部１ｂとからなる断面逆Ｔ字状布基礎１の下側に横材２０を挿入する工法であって、その水平脚部１ｂには垂壁部１ａを中心とした両側対称位置で水平脚部１ｂの両側端部に隣接するように杭５を打ち込んだ後、図示のように、杭５の上端部近辺の地盤及び両杭５，５間に位置する水平脚部１ｂの下側部分の地盤を掘削して、水平脚部１ｂの下側に布基礎１を受ける２本の横材２０，２０を挿入して、これら２本の横材２０，２０により両側の杭５，５を挟み付けた状態とし、そして上記掘削した地盤の凹所１２にモルタル等の固化材Ｋを流し込んで、布基礎１と杭５と横材１１とを一体的に結合するようにしている。
【００４５】
この工法においては、図１０の(a) ，(b) に示すように、杭５がねじ鉄筋の場合にはその上端部所要位置にナット１３を固定し、また杭５が鋼管又は普通の鉄筋の場合にはナットのような取付部材をその上端部所要位置に溶接すると共に、ナット１３又は取付部材の上にリング状の座金１４を取り付けておいて、溝形材からなる２本の横材２０，２０を図示のように背中合わせにして両側の杭５，５を挟み付けた状態で両杭５，５の座金１４，１４上に支持させ、こうして座金１４，１４上に支持させた２本の横材２０，２０の両端部に連結板１５，１５を夫々溶接して両横材２０，２０を一体的に連結する。
【００４６】
上記のような基礎補強工法によれば、杭５の上端部を布基礎１に強固に結合させることができる。
【００４７】
図１１に示す基礎補強工法は、布基礎１の水平脚部１ｂには垂壁部１ａを中心とした両側対称位置に杭貫通用開口部４を設け、この開口部４より杭５を地盤中に打ち込んだ後、杭貫通用開口部４にモルタル等の固化材Ｋを流し込み、垂壁部１ａの両側面に補強枠１６，１６を当接させて、垂壁部１ａを貫通するボルト・ナット１０によって両補強枠１６，１６を連結固定すると共に、補強枠１６には杭貫通用開口部４の上端部を覆って杭５の上端を受ける杭受板１７を取り付けるようにしたものである。
【００４８】
この工法においては、補強枠１６として溝形材を使用し、この溝形材の背面側を布基礎１の垂壁部１ａ側面に当接させて、図１１に示すようにボルト・ナット１０で固定する。また杭受板１７は、溝形材の下部フランジに溶接すればよい。また、この杭受板１７と溝形材からなる補強枠１６との間には補強板片１８を溶接して取り付けることによって、杭受板１７を強固なものとすることができる。また、図１１の(a) に示すように、補強枠１６を取り付けた布基礎１周辺の地盤を掘削して、その掘削した凹所１９にモルタル等の固化材Ｋを流し込むとよい。また布基礎１の水平脚部１ｂを貫通する杭貫通用開口部４としては、孔に限らず、図１１の(a) に示すように、水平脚部１ｂの側端部を適当な大きさに切欠したものでもよい。
【００４９】
この基礎補強工法によれば、杭５の上端部を布基礎１に強固に結合させることができると共に、布基礎１の垂壁部１ａにひび割れが発生した場合にそのひび割れ箇所２２を両側一対の補強枠１６，１６により補強して、垂壁部１ａの破壊を防止することができる。
【００５０】
図１〜図１１は、布基礎１を補強するのに好適な工法について説明したものであるが、図１〜図６に示す工法、図８に示す工法及び図１０に示す工法については、べた基礎にもほとんど同じようにして適用可能である。
【００５１】
図１２及び図１３は、束基礎１１を補強するのに好適な基礎補強工法を示したもので、図１２の(a) は束基礎１１とこれに支持された木造家屋の束２３を示し、図１２の(b) 及び図１３の(a) ，(b) は束基礎１１を補強する工法を説明する断面図である。束基礎１１の下側には栗石Ｇが配置されている。
【００５２】
束基礎１１を補強するにあたっては、既設家屋内において、図１２の(b) に示すように、補強すべき束基礎１１の周辺に複数本の杭５を図１及び図４の(b) に示すような杭打機７によって地盤支持層に達する所定深さまで打ち込む（図１２の(b) 参照）。この後、束基礎１１の周辺の地盤を掘削して、束基礎１１及びこの束基礎１１の周辺に突出する杭５の上端部を取り囲むような凹所２４を形成する。そして図８の(a) ，(b) に示すように、この凹所２４内において、複数本の鉄筋２５を杭５の上端部間に架け渡すように配置すると共に、各鉄筋２５を杭５に溶接して一体に連結した後、この凹所２４内にモルタル等の固化材Ｋを流し込んで、束基礎１１と杭５の上端部と鉄筋２５とを一体的に結合する。なお、各鉄筋２５は番線等で杭５の上端部に縛り付けるようにしてもよい。また、鉄筋２５は、図１３では杭５に水平に掛け渡した状態に示しているが、杭５に対し斜めに架け渡してもよい。
【００５３】
こうして束基礎１１と杭５の上端部と鉄筋２５とをモルタル等の固化材Ｋで一体的に結合することにより、束基礎１１は杭５により支持され、この杭５の支持力によって沈下が防止されることになる。
【００５４】
図１４の(a) 〜(e) は束基礎１１を補強する他の補強工法を示したものである。即ち、この工法は、既設家屋内において、先ず、束２３を支持している旧い束基礎１１の周辺地盤を掘削して、この旧束基礎１１を取り囲むような凹所３０を形成し（(a) ，(b) 参照）、この旧束基礎１１に支持されている束２３を所要高さジャッキアップして旧束基礎１１を凹所３０から撤去し、そして凹所３０内より複数本の杭５を図１に示すような杭打機７で地盤中に夫々所定深さまで打ち込む（(c) 参照）。この後、凹所３０内にコンクリートを流し込んで新しい束基礎１１Ｎを形成すると共に、この新束基礎１１Ｎと杭５とを一体的に結合させる（(d) 及び(e) 参照）ようにしたものである。
【００５５】
この工法において、旧束基礎１１に支持された束２３をジャッキアップする際には、束２３にこれを挟着する挟着枠３１を取り付け、この挟着枠３１の下面両端部と地面との間に夫々油圧ジャッキ３２を設置する。このジャッキ３２の接地面には鉄板３３を敷設しておく。また、新しい束基礎１１Ｎを形成するためにコンクリートを流し込の時には型枠を配設する。
【００５６】
上記のような基礎補強工法によれば、束基礎１１が破損したような場合に容易に新しい束基礎１１Ｎを設置できると共に、この新束基礎１１Ｎをこれと一体に結合した杭５によって支持させ、この杭５の支持力によって新束基礎１１Ｎの沈下を防止できる。
【００５７】
以上説明した基礎補強工法に使用する各杭５は、図１、図４〜図９、図１２、図１３、図１５及び図１６に示すようにジョイント２６を介して順次継ぎ足し連結される複数の杭部材５ａからもので、各ジョイント２６は、上半分に上段側杭部材５ａの下端雄ねじ部ｎが螺合し且つ下半部に下段側杭部材５ａの上端雄ねじ部ｎが螺合するように内周面に雌ねじｆ（図１５の(a) 〜(c) 参照）を形成した筒状本体２７を有する。各杭５の最下段の杭部材５ａ、つまり最初に打ち込まれる杭部材５ａの下端部には先端部の尖ったビット２９が取り付けられている。このビット２９は、比較的硬い地盤でも容易に打ち込むことが出来るようにするためのものである。
【００５８】
図１５は各杭部材５ａが鋼管で形成された杭５を示し、図１６は各杭部材５ａが鉄筋で形成された杭５を示す。そして、図１５の(a) は例えば４本の鋼管製杭部材５ａからなる杭５で、杭部材５ａをつなぐ各ジョイント２６が筒状本体２７のみからなる杭５の正面図、(a′) はその平面図である。図１５の(b) は同様に４本の鋼管製杭部材５ａからなる杭５で、各ジョイント２６の外周面中央部に支持力増大用のフランジ２８が突設されている杭５の正面図、(b′) はその平面図である。また図１５の(b) は４本の鋼管製杭部材５ａからなる杭５で、各ジョイント２６の支持力増大用フランジ２８が、上段側のジョイント２６になるほどフランジ２８の突出高さが高くなっている杭５の正面図、(c′) はその平面図である。
【００５９】
図１６の(a) は例えば４本の鉄筋製杭部材５ａからなる杭５で、杭部材５ａをつなぐ各ジョイント２６が筒状本体２７のみからなる杭５の正面図、(a′) はその平面図である。図１６の(b) は同様に４本の鉄筋製杭部材５ａからなる杭５で、各ジョイント２６の外周面中央部に支持力増大用のフランジ１８が突設されている杭５の正面図、(b′) はその平面図である。また図１６の(c) は４本の鉄筋製杭部材５ａからなる杭５で、各ジョイント２６の支持力増大用フランジ２８が、上段側のジョイント２６になるほどフランジ２８の突出高さが高くなっている杭５の正面図、(c′) はその平面図である。
【００６０】
上記構成の杭５を使用する時は、図１及び図４の(b) に示すような杭打機７によって最初の杭部材５ａを地盤中にその上端部が布基礎１あるいは地盤表面から所要長さ突出する程度まで打ち込み、この最初の杭部材５ａの上端雄ねじ部ｎにジョイント２６の筒状本体２７の下半分を螺合した後、この筒状本体２７の上半分に次の杭部材５ａの下端雄ねじ部ｎを螺合することにより、最初の杭５に次の杭５を連結し、しかして当該次の杭５を杭打機７によって地盤中にその上端部が布基礎１あるいは地盤表面から所要長さ突出する程度まで打ち込む。以下同様にして、複数本の杭部材５ａを継ぎ足しながら地盤中所定深さまで打ち込んでゆく。
【００６１】
上記のように杭部材５ａを順次継ぎ足しながら杭５の打ち込みを行うにあたり、各杭部材５ａは上下両端部の夫々外周面に雄ねじ部ｎを形成し、ジョイント２６は、上半分に上段側杭部材５ａの下端雄ねじ部ｎが螺合し且つ下半部に下段側杭部材５ａの上端雄ねじ部ｎが螺合するように内周面に雌ねじｆを形成した筒状本体２７からなるため、杭部材５ａの継ぎ足し作業が簡単容易となる。
【００６２】
また、図１５の(b) ，(b′) ，(c) ，(c′) 及び図１６の(b) ，(b′) ，(c) ，(c′)
に示すジョイント２６のように、筒状本体２７の外周面中央に支持力増大用フランジ２８が突設されている場合には、杭５を打ち込んだ時、各ジョイント２６のフランジ２８の下面側に上向きの大きな地盤反力を作用させることが出来るから、大きな支持力が得られることになる。
【００６３】
また、図１５の(c) ，(c′) 及び図１６の(c) ，(c′) に示すジョイント２６のように、各ジョイント２６の支持力増大用フランジ２８が上段側のジョイント２６になるほどフランジ２８の突出高さが高くなっている杭５にあっては、この杭５を全体的に見れば、この杭５が地盤に対してテーパ杭による楔効果と同様な作用を発揮することになるから、一層大きな支持力が得られる。
【００６４】
図１５及び図１６では鋼管製及び鉄筋製の杭５を示したが、本発明の工法に使用される杭５は、図１７の(a) に示すように全長に亘ってねじ状となったねじ鉄筋５Ｎ、あるいは同図の(b) に示すような異形鉄筋５Ｄでもよい。このねじ鉄筋５Ｎや異形鉄筋５Ｄからなる杭５も、上記した鋼管製や鉄筋製の杭５と同様に、周知のジョイントを介して順次継ぎ足し連結される複数の杭部材からなるが、ジョイントの構造については図示を省略する。このようなねじ鉄筋５Ｎや異形鉄筋５Ｄからなる杭５は、鋼管製や鉄筋製の杭５よりも地盤抵抗が大きいから、支持力を高めることができる。
【図面の簡単な説明】
【００６５】
【図１】本発明に係る基礎補強工法を既設家屋内にて実施している状態の斜視図である。
【図２】(a) は補強される前の布基礎及びその上に固定された土台を示す正面図であり、(b) は(a) のイ−イ線断面図である。
【図３】土台をジャッキアップしている状態を示す正面図、(b) は(a) のロ−ロ線断面図である。
【図４】(a) は布基礎の水平脚部を貫通するように杭を地盤に打ち込んでいる状態を示す正面断面図、(b) は(a) のハ−ハ線断面図である。
【図５】(a) は布基礎の下側に布基礎を受けるように横材を挿入している状態を示す正面断面図、(b) は(a) のニ−ニ線断面図である。
【図６】(a) は横材を杭に一体的に保持させて、布基礎の補強を完了した状態を示す正面断面図、(b) は(a) のホ−ホ線断面図である。
【図７】本発明の係る布基礎補強工法の他の実施形態を示す正面断面図、(b) は(a)のヘ−ヘ線断面図である。
【図８】本発明の係る布基礎補強工法の他の実施形態を示す正面断面図、(b) は(a)のト−ト線断面図である。
【図９】本発明の係る布基礎補強工法の更に他の実施形態を示す正面断面図、(b) は(a) のチ−チ線断面図である。
【図１０】本発明の係る布基礎補強工法の更に他の実施形態を示す正面断面図、(b)は(a) のリ−リ線断面図である。
【図１１】本発明の係る布基礎補強工法の更に他の実施形態を示す正面断面図、(b)は(a) ヌ−ヌ線断面図である。
【図１２】(a) は束基礎とこれに支持された木造家屋の束を示す斜視図、(b) は本発明に係る束基礎補強工法の最初の段階を示す断面図である。
【図１３】(a) は同工法の次の段階を示す断面図、(b) は同工法の最終段階を示す断面図である。
【図１４】(a) 〜(e) は束基礎補強工法の他の実施形態を示す説明図である。
【図１５】各杭部材が鋼管で形成された杭の種々の例を示す説明図である。
【図１６】各杭部材が鉄筋で形成された杭の種々の例を示す説明図である。
【図１７】ねじ鉄筋及び異形鉄筋からなる杭を示す説明図である。
【符号の説明】
【００６６】
１            布基礎
２            土台
５            杭
５ａ          杭部材
１０          横材
１１          束基礎
１６          ジョイント
１７          筒状本体
１８          支持力増大用フランジ
【図１】
2006028877.tif 000003
【図２】
2006028877.tif 000004
【図３】
2006028877.tif 000005
【図４】
2006028877.tif 000006
【図５】
2006028877.tif 000007
【図６】
2006028877.tif 000008
【図７】
2006028877.tif 000009
【図８】
2006028877.tif 000010
【図９】
2006028877.tif 000011
【図１０】
2006028877.tif 000012
【図１１】
2006028877.tif 000013
【図１２】
2006028877.tif 000014
【図１３】
2006028877.tif 000015
【図１４】
2006028877.tif 000016
【図１５】
2006028877.tif 000017
【図１６】
2006028877.tif 000018
【図１７】
2006028877.tif 000019